(57)【要約】  【課題】  ホルダの側板に設けたＬ字状の切れ込みにファイル綴じ込み用のピンの先端を挿入・保持するように構成されたファイル用綴じ具において、ピンの先端が前記切れ込みから外れることを防止する。  【解決手段】  可動板１２にピン２０を固定してその可動板１２を倒すことにより、全てのピン２０を直立させ（Ａ）、直立したピン２０をシート２７の綴じ穴に通し（Ｂ）、背板１１と可動板１２との接続部を支点として背板１１を立ち上げ、固定板１３の上端に設けたＬ字状の切れ込み１７にピン２０の先端部を填め込む（Ｃ）。そして、軸５１を中心に係止部材５０を回動させ、固定板１３の上端に装着すると、係止部材５０に形成された切り欠き５２によりピン２０の先端部が係止される（Ｄ）。【選択図】  図４
2005153200.tif 000002
【特許請求の範囲】
【請求項１】
背板、該背板の一側端に立設・固定された固定板、及び、前記背板の他の側端に起立／傾倒自在に接続された可動板を有するホルダ、及び、
綴じ込み対象となるシート状物の綴じ穴に挿通されるピンであって、前記可動板に固定される基端及び該基端が前記可動板に固定された後で前記固定板に保持される先端を有するピン、
を備えるファイル用綴じ具において、
前記固定板には、該固定板の上端に設けられた入口から該固定板の幅方向に延伸するガイド部、及び、該ガイド部の下端から前記固定板の長手方向に延伸する保持部を有するＬ字状の切れ込みが形成されており、
更に、下端に切り欠きが形成された長尺状の係止部材を備え、
前記保持部に前記ピンの先端を挿入した状態で前記係止部材が前記固定板の上端に装着されると、前記切り欠きが前記ピンの先端を固定するとともに、前記係止部材の前記固定板の長手方向の動きが阻止されること、
を特徴とするファイル用綴じ具。
【請求項２】
前記係止部材が前記固定板に回動自在に軸着されていることを特徴とする請求項１に記載のファイル用綴じ具。
【発明の詳細な説明】
【技術分野】
【０００１】
本発明は、主にじゅうたんやパネルの見本帳等の重いシート状物を綴じるための綴じ具に関する。
【背景技術】
【０００２】
上記のようなファイル用綴じ具として特許文献１に記載のものがある。同文献に記載のファイル用綴じ具は、シート状物の綴じ穴に挿通される複数のピンと、それらを保持するホルダとを含む。ホルダは、背板（一般には略矩形状のもの）、背板の一側端に立設・固定された側板である固定板及び背板の他の側端に起立／傾倒自在に接続された側板である可動板を含む。これらの側板の一方には、ピンの先端を挿入・保持するための切れ込みが形成されている。この切れ込みは、側板の上端（背板から遠い方の側端）に入口を有し、その側板の内部へＬ字状に延伸するように形成されている。この切れ込みの奥には、切れ込みに填め込まれたピンを係止する係止部（突起、ツメ等）が設けられている。
【０００３】
上記ファイル用綴じ具において、例えばＬ字状の切れ込みを固定板の方に設けた場合、シート状物を綴じ込む作業は、
（１）可動板にピンを固定してその可動板を倒すことにより、全てのピンを直立させ、
（２）直立したピンを、シート状物の束の綴じ穴に通し、
（３）背板と可動板との線状の接続部を支点（中心）として背板を立ち上げ、
（４）固定板の切れ込みの入口にピンの先端を入れ、更にそれを切れ込みの奥まで押し込む
という手順を踏んで行われる。ピンの先端を切れ込みの奥まで完全に填め込むと、ピンの先端が固定板に設けた係止部により係止される。このように、このファイル用綴じ具は、簡単にシート状物を綴じ込むことができるように構成されている。
【０００４】
上記ファイル用綴じ具では、ピンの先端が側板の切れ込みから外れることを防止するために切れ込みの内壁面に突起やツメなどの係止部を形成している。ところが、この係止部は、切れ込みに対するピンの挿入や取り外しを繰り返す間に徐々に摩耗する。その結果、綴じ具を長期間使用すると、係止部により十分な係止効果が得られなくなることがある。このようになると、特に綴じ具の長手方向に強い衝撃が加わったときに、シート状物が重いため、Ｌ字状の切れ込みの保持部（綴じ具の長手方向に延在する部分）に沿ってピンが移動し、更にそのピンがガイド部を通って切れ込みから抜けるおそれがある。
【０００５】
上記問題を解決するためには、ピンの先端をより確実に保持できる構造を採用する必要がある。ピンの先端を保持するための構造（以下、ピン保持構造）を有するファイル用綴じ具の例として特許文献２〜４に記載のものがある。ところが、これらの文献に記載のピン保持構造は、以下に述べるように、そのまま特許文献１に記載のファイル用綴じ具に応用することはできない。すなわち、特許文献２に記載のピン保持構造は、ホルダの背板の側端に立設された側板に対して垂直な方向（すなわち、ピンの軸方向）にピンが抜けることを防止することを目的としている。また、特許文献３に記載のピン保持構造は、ピンの先端が側板の上端に設けた凹部から上方向に抜けることを防止することを目的としている。また、特許文献４に記載のピン保持構造についても、特許文献２に記載のものと同様のことが言える。このように、特許文献２〜４に記載のピン保持構造はいずれも綴じ具の長手方向へのピンの移動を防止することを目的とするものではない。従って、特許文献１に記載のファイル用綴じ具のように、ホルダの側板に設けたＬ字状の切れ込みにピンの先端を挿入するという特殊な構造を採用する場合は、それに合わせた適切なピン保持構造を採用する必要がある。
【特許文献１】特開2001-213081号公報
【特許文献２】実登第3074347号公報
【特許文献３】特開2002-120483号公報
【特許文献４】特開2003-211884号公報
【発明の開示】
【発明が解決しようとする課題】
【０００６】
本発明が解決しようとする課題は、ホルダの側板に設けたＬ字状の切れ込みにファイル綴じ込み用のピンの先端を挿入・保持するように構成されたファイル用綴じ具において、ピンの先端が前記切れ込みから外れることを確実に防止できる構造を提供することにある。
【課題を解決するための手段】
【０００７】
上記課題を解決するために成された本発明に係るファイル用綴じ具は、
背板、該背板の一側端に立設・固定された固定板、及び、前記背板の他の側端に起立／傾倒自在に接続された可動板を有するホルダ、及び、
綴じ込み対象となるシート状物の綴じ穴に挿通されるピンであって、前記可動板に固定される基端及び該基端が前記可動板に固定された後で前記固定板に保持される先端を有するピン、
を備えるファイル用綴じ具において、
前記固定板には、該固定板の上端に設けられた入口から該固定板の幅方向に延伸するガイド部、及び、該ガイド部の下端から前記固定板の長手方向に延伸する保持部を有するＬ字状の切れ込みが形成されており、
更に、下端に切り欠きが形成された長尺状の係止部材を備え、
前記保持部に前記ピンの先端を挿入した状態で前記係止部材が前記固定板の上端に装着されると、前記切り欠きが前記ピンの先端を固定するとともに、前記係止部材の前記固定板の長手方向の動きが阻止されること、
を特徴とする。
【０００８】
上記ファイル用綴じ具において、係止部材は、例えば略Ｕ字状の断面を有し固定板の上端に填め込むことができるような板状部材から構成される。係止部材の各切り欠きは、Ｌ字状の切れ込みにピンの先端を挿入した状態で固定板の上端に係止部材が装着されたときに、各切り欠きが各ピンの先端に対応する位置に形成する。係止部材は、前記固定板に装着されたとき、固定板の長手方向には移動しないように固定される。その一つの態様として、固定板に回動自在に軸着するという構成をとることができる。この場合、係止部材を所定位置まで回動させることにより係止部材は固定板の上端に装着され、これにより、固定板の長手方向には移動できない。また、他の態様として、係止部材を所定位置に装着したときのその両端の位置の固定板に、移動阻止用の凸部を設けておくという構成をとることもできる。
なお、１つの係止部材ですべてのピンを係止するようにしてもよいし、ピンを２以上のグループに分け、グループ毎に異なる係止部材でピンを係止するようにしてもよい。
【発明の効果】
【０００９】
本発明に係るファイル用綴じ具によれば、Ｌ字状の切れ込みにピンの先端を挿入した状態で係止部材を固定板の上端に装着すると、係止部材の切り欠きがピンの先端を固定するとともに、係止部材自体が固定板に（その長手方向に）固定される。このため、前記ピンの先端がＬ字状の切れ込みの保持部に沿って移動することが確実に防止される。また、特許文献２の図１０に記載の係止板のように、側板の長手方向にスライドさせることによりピンの先端に係止部材を係止させる構造にすると、側板の長手方向に衝撃が加わったときに係止部材がスライドし、ピンの先端が移動してしまう可能性がある。これに対し、本発明では、係止部材が固定板の上端から装着されると係止部材が長手方向に固定されるため、該係止部材が側板の長手方向に移動することが阻止され、側板の長手方向に働く衝撃に強くなる。係止部材を固定板に軸着すると、該係止部材がより確実に固定されるため、更に側板の長手方向に働く衝撃に強くなる。また、特許文献１に記載のような突起またはツメ状の係止部とは異なり、上記係止部材は切り欠きによりピンの先端を固定するものであるため、ピンの挿入・取り外しを繰り返しても摩耗による固定効果の低下が起きることはなく、長期間にわたって使用することができる。
【発明を実施するための最良の形態】
【００１０】
図１は本発明の一実施形態であるファイル用綴じ具（以下、単に綴じ具と呼ぶ）の斜視図である。この綴じ具１は、いずれも樹脂製であるホルダ１０及び４本のピン２０を含む。
【００１１】
ホルダ１０は、略矩形の背板１１、背板１１の一端に接続された可動板１２及び背板１１の他端に立設・固定された固定板１３から成る。背板１１の中央部には、重いファイルを楽に持ち運ぶことができるように把手を背板１１に固定するための把手穴１４が形成されている。背板１１の両側端は中央部よりも肉厚に形成されており、ここに背板固定穴１５が形成されている。背板固定穴１５はネジやリベット等で背板１１を他の板状体（例えば、ファイル用表紙材の背表紙部分）に固定するために用いられる。
【００１２】
可動板１２は直線状の肉薄部１１ａを介して背板１１に接続されており、肉薄部１１ａを中心として起立／傾倒自在である。可動板１２には４つのピン挿通穴１６が形成されており、それに対応して、固定板１３にはＬ字状の切れ込み１７が４カ所に形成されている。
【００１３】
固定板１３の上端の両コーナーには、略Ｕ字状の断面を有する長尺状の係止部材５０が軸５１を介して取り付けられている。係止部材５０は、軸５１を中心としてこれを回動させることにより、固定板１３の上端に着脱自在である。各係止部材５０の下端には前記Ｌ字状の切れ込み１７に対応する切り欠き５２が２箇所に設けられている。
【００１４】
図２はピン２０の構造を示す図であって、このうち（Ａ）はピン２０の側面図、（Ｂ）は正面図（ピン２０を図２（Ａ）の矢印Ａ２の方向から見た図）である。ピン２０は、略円柱状の軸２１の一端に軸２１よりも径の大きい略円盤状の頭部２２を設けて成る。軸２１の基端部２１ａの径は可動板１２のピン挿通穴１６の内径と略等しく、軸２１の他の部分の径はピン挿通穴１６に容易に挿入可能なように、ピン挿通穴１６の内径よりも僅かに小さい。軸２１の基端部２１ａの側面にはツメ２３が形成されている。ツメ２３は、可動板１２のピン挿通穴１６に一杯に挿通されたピン２０がピン挿通穴１６から抜けることを防止する働きをする。軸２１の先端部２１ｂの側面には環状凹部２４が形成されている。頭部２２から環状凹部２４までの軸２１の長さは背板１１の幅と略等しい。
【００１５】
図３（Ａ）〜（Ｄ）は固定板１３に形成した切れ込み１７の側面図（図１の矢印Ａ３の方向から見た図）である。
【００１６】
切れ込み１７は、固定板１３の上端の入口２５から下方に延伸するガイド部１７ａ及びガイド部１７ａの下端から略水平に延伸する保持部１７ｂから成る。入口２５は、ピン挿通穴１６にピン２０を挿通した状態で可動板１２を起立させたときのピン２０の位置（図３（Ａ）で破線で示した位置）からずれた位置に設けられている。ガイド部１７ａの幅は環状凹部２４における軸２１の外径と略等しいか、それより僅かに大きい。
【００１７】
じゅうたんやパネルの見本等から成るシート２７を綴じ具１に綴じ込む作業手順について図３及び図４を参照しながら説明する。図４（Ａ）〜（Ｄ）は綴じ込み作業の４つの段階を示すもので、上段は綴じ具１及びシート２７の平面図、下段は正面図（図１の矢印Ａ４の方向から見た図）である。
【００１８】
シート２７の綴じ込み作業は次のような手順で行われる。まず、可動板１２のピン挿通穴１６にピン２０を挿入し（図４（Ａ））、更にそのピン２０を、四隅を揃えて束ねたシート２７の綴じ穴に通す（図４（Ｂ））。次に、係止部材５０を固定板１３上で起立状態にした状態で、肉薄部１１ａを中心に背板１１を起こす。背板１１を起こすと、各ピン２０の先端部２１ｂは図３（Ａ）の破線に示したような位置で固定板１３の上端に接触する。次に、図３（Ｂ）に示したように切れ込み１７の入口２５にピン２０の先端部２１ｂを入れ、更にそれを保持部１７ｂの奥まで押し込む（図３（Ｃ）、図４（Ｃ））。そして、軸５１を中心にして係止部材５０を回動させ、固定板１３の上端に装着すると、係止部材５０の切り欠き５２がピン２０の先端部２１ｂを押さえ付けるような形で保持する（図４（Ｄ））。これにより、ピン２０の先端部２１ｂが保持部１７ｂ内を逆進して切れ込み１７から抜けてしまうといったことが確実に防止される。これで綴じ込み作業が完了する。
【００１９】
以上、本発明の一実施形態について説明したが、実施形態は上記のものに限られないことは言うまでもない。例えば、上記実施形態の綴じ具では２つの係止部材５０により４本のピン２０を係止しているが、図５のように１つの係止部材５０Ａで４本のピン２０を係止するような構成にすることもできる。また、上記実施形態の係止部材５０は略Ｕ字状の断面を有するものとしたが、これを略Ｊ字状の断面を有する部材にし、固定板１３の一方の側のみでピン２０の先端を係止・保持するようにしてもよい。この他、本発明の精神及び範囲内で様々な実施形態が考えられる。
【図面の簡単な説明】
【００２０】
【図１】本発明の一実施形態であるファイル用綴じ具の斜視図。
【図２】ピンの構造を示す図であって、（Ａ）は側面図、（Ｂ）は正面図。
【図３】固定板に形成した切れ込みにピンを挿入する手順を示す図。
【図４】シートの綴じ込み作業の４つの段階を示す図。
【図５】係止部材の別の形態を示す図。
【符号の説明】
【００２１】
１…ファイル用綴じ具
１１…背板
１２…可動板
１３…固定板
１７…切れ込み
２０…ピン
２１ｂ…先端部
５０…係止部材
５２…切り欠き
【図１】
2005153200.tif 000003
【図２】
2005153200.tif 000004
【図３】
2005153200.tif 000005
【図４】
2005153200.tif 000006
【図５】
2005153200.tif 000007
【手続補正書】
【提出日】平成16年10月1日(2004.10.1)
【手続補正１】
【補正対象書類名】明細書
【補正対象項目名】００１５
【補正方法】変更
【補正の内容】
【００１５】
図３（Ａ）〜（Ｃ）は固定板１３に形成した切れ込み１７の側面図（図１の矢印Ａ３の方向から見た図）である。